(57)【要約】【課題】インターフェイス回路のプルアップ接続を変更することなく、マザーボードを変更した場合、その電源電圧に応じてインターフェイス回路の電源電圧の変更を容易に行うことを目的とする。【解決手段】第１の電源及び第２の電源とを切り換えるための切り換え器７と、切り換え器７に接続された複数のプルアップ抵抗５と、複数のプルアップ抵抗５にそれぞれ接続された複数のデータバスライン４とを具備することを特徴とするインターフェイス回路を提供する。【選択図】      図１
2005018249.tif 000002
【特許請求の範囲】
【請求項１】
第１の電源及び第２の電源とを切り換えるための切り換え器と、
前記切り換え器に接続された複数のプルアップ抵抗と、
前記複数のプルアップ抵抗にそれぞれ接続された複数のデータバスラインとを具備することを特徴とするインターフェイス回路。
【請求項２】
前記切り換え器は、前記第１の電源及び前記プルアップ抵抗間に接続される第１の受動部品と、前記第２の電源及び前記プルアップ抵抗間に接続される第２の受動部品のうちの一方を接続することで、前記第１の電源及び前記第２の電源を切り換えることを特徴とする請求項１記載のインターフェイス回路。
【請求項３】
前記切り換え器は、前記第１の電源及び前記プルアップ抵抗間に接続された第１のスイッチ回路と、前記第２の電源及び前記プルアップ間に接続される第２のスイッチ回路のうちの一方を導通状態にすることで、前記第１の電源及び前記第２の電源を切り換えることを特徴とする請求項１記載のインターフェイス回路。
【発明の詳細な説明】
【０００１】
【発明の属する技術分野】
本発明は、ストレージデバイスとマザーボードを接続するために用いるインターフェイス回路に関する。
【０００２】
【従来の技術】
パーソナルコンピュータなどの機器に使用されるインターフェイス回路は、パーソナルコンピュータに関連する種種のデバイス間を接続し適切にデータ送受信を行ったり電力を提供している。このインターフェイス回路として、例えばマザーボードとストレージデバイスとを接続するものにＩＤＥと呼ばれるものがある。
【０００３】
図４に、従来のインターフェイス回路の回路図とこれを用いて光ディスクドライブ装置とマザーボードとがインターフェイスケーブルによって接続された装置構成の概略図を示す。
【０００４】
この装置構成は、マザーボード１と、このマザーボードに接続されたインターフェイスケーブル２と、このインターフェイスケーブル２に接続された光ディスクドライブ装置３とを有している。
【０００５】
光ディスクドライブ装置３の内部には、１６本のデータバスライン３（Ｄ０、Ｄ１、Ｄ２、・・・Ｄ１４、Ｄ１５）が配線され、それぞれのデータバスライン３はプルアップ抵抗５を介して５Ｖ電源６に接続されたインターフェイス回路を具備している。
【０００６】
このような装置構成において、マザーボード１の電源が異なる場合があり、マザーボードを変更すると、この電源に応じたインターフェイス回路のプルアップ接続を変更しなければならないという問題がある。
【０００７】
【特許文献１】
特開２０００−３０５６８１号公報
【０００８】
【発明が解決しようとする課題】
上述したように、従来は、マザーボードの仕様が変わるとインターフェイス回路のプルアップ接続を変更しなければならないという煩わしさが存在した。
本発明は上記の問題を解決するためになされたものであり、インターフェイス回路のプルアップ接続を変更することなくマザーボードの使用に応じてインターフェイス回路の電源電圧の変更を容易に行うことを可能とすることを目的とする。
【０００９】
【課題を解決するための手段】
上記目的を達成するために、本発明は、第１の電源及び第２の電源とを切り換えるための切り換え器と、
前記切り換え器に接続された複数のプルアップ抵抗と、
前記複数のプルアップ抵抗にそれぞれ接続された複数のデータバスラインとを具備することを特徴とするインターフェイス回路を提供する。
このとき、前記切り換え器は、前記第１の電源及び前記プルアップ抵抗間に接続される第１の受動部品と、前記第２の電源及び前記プルアップ抵抗間に接続される第２の受動部品のうちの一方を接続することで、前記第１の電源及び前記第２の電源を切り換えることが好ましい。
【００１０】
また、前記切り換え器は、前記第１の電源及び前記プルアップ抵抗間に接続された第１のスイッチ回路と、前記第２の電源及び前記プルアップ間に接続される第２のスイッチ回路のうちの一方を導通状態にすることで、前記第１の電源及び前記第２の電源を切り換えることが好ましい。
【００１１】
【発明の実施の形態】
以下、本発明の実施形態について図面を用いて詳細に説明する。なお、本発明は、以下の実施形態に限定されるものではない。
図１は、本発明の実施形態に係わるインターフェイス回路の回路図とこれを用いて光ディスクドライブ装置とマザーボードとがインターフェイスケーブルによって接続された装置構成の概略図を示す。
【００１２】
この装置構成は、マザーボード１と、このマザーボードに接続されたインターフェイスケーブル２と、このインターフェイスケーブル２に接続された光ディスクドライブ装置３とを有している。
【００１３】
光ディスクドライブ装置３の内部には、１６本のデータバスライン３（Ｄ０、Ｄ１、Ｄ２、・・・Ｄ１４、Ｄ１５）が配線され、それぞれのデータバスライン３はプルアップ抵抗５を介して切り換え器７に接続されている。
【００１４】
この切り換え器７は、切り換えスイッチ８によって、電源電圧５Ｖ及び３Ｖを切り換え可能になっている。
このインターフェイス装置では、マザーボード１の使用によって電源電圧を５Ｖ及び３Ｖを切り換えスイッチ８を切り換えることで容易に変更できるようになっている。こうすることでユーザーがマザーボード１を取り替えるたびにインターフェイス回路のプルアップ接続を変更せずとも切り換え器７を切り換えるだけで対応できるようになる。
【００１５】
次に、図２を用いて他の実施形態について説明する。
図２は、図１で説明した切り換え器７について、プリント配線基板上に２個の部品を接続させるためのパットを形成し、必要に応じて一方を０オームの抵抗を接続して他方を未実装状態とすることで電源電圧５Ｖと３Ｖを切り換え可能としたものである。例えば電源電圧５Ｖを選択する場合は、受動素子Ｒ１に０オーム抵抗素子を実装し、Ｒ２には未実装とする。電源電圧３Ｖを選択する場合は、受動素子Ｒ２に０オーム抵抗素子を実装し、Ｒ１には未実装とする。
【００１６】
こうすることで先に説明した実施形態と同様にマザーボードを変更しても容易に電源電圧を切り換えることが可能となる。
次に、図３を用いて他の実施形態について説明する。
図３は、図１で説明した切り換え器７について、トランジスタスイッチ（ＴＲ１、ＴＲ２）などの能動スイッチを用いて電源電圧５Ｖ及び３Ｖを切り換え可能としたものである。この場合トランジスタスイッチ（ＴＲ１、ＴＲ２）は、マイクロコンピュータの指令により接続先を選択できるようになっている。例えば電源電圧５Ｖを選択する場合は、ＳＥＬ１信号にＬ（ロー）を与えトランジスタＴＲ１を導通状態に制御し、ＳＥＬ２信号にＨ（ハイ）を与えトランジスタＴＲ１を非道通状態に制御する。電源電圧３Ｖを選択する場合は、ＳＥＬ２信号にＬ（ロー）を与えトランジスタＴＲ２を導通状態に制御し、ＳＥＬ１信号にＨ（ハイ）を与えトランジスタＴＲ１を非道通状態に制御する。
【００１７】
こうすることで先に説明した実施形態と同様にマザーボードを変更しても容易に電源電圧を切り換えることが可能となる。
以上説明した実施形態では、電源電圧として５Ｖ及び３Ｖの２種類について述べたがその他必要な電源電圧を選択可能にしても良い。
【００１８】
【発明の効果】
インターフェイス回路のプルアップ接続を変更することなくマザーボードの使用に応じてインターフェイス回路の電源電圧の変更を容易に行うことを可能とする。
【図面の簡単な説明】
【図１】本発明の実施形態に係わるインターフェイス回路の回路図とこれを用いて光ディスクドライブ装置とマザーボードとがインターフェイスケーブルによって接続された装置構成の概略図。
【図２】本発明の別の実施形態に係わる切り換え器の構成図。
【図３】本発明の別の実施形態に係わる切り換え器の構成図。
【図４】従来のインターフェイス回路の回路図とこれを用いて光ディスクドライブ装置とマザーボードとがインターフェイスケーブルによって接続された装置構成の概略図。
【符号の説明】
１・・・マザーボード
２・・・インターフェイスケーブル
３・・・光ディスクドライブ
４・・・データバスライン
５・・・プルアップ抵抗
６・・・電源電圧
７・・・切り換え器
８・・・切り換えスイッチ
【図１】
2005018249.tif 000003
【図２】
2005018249.tif 000004
【図３】
2005018249.tif 000005
【図４】
2005018249.tif 000006